(57)【特許請求の範囲】
【請求項１】
集合住宅の集合玄関に設置される集合玄関機（１）と、前記集合住宅の複数の住戸の住戸玄関にそれぞれ設置される玄関子機（２ａ、２ｂ、・・・）と、前記集合玄関機又は前記玄関子機からの呼出しに応答して音声信号を送受信することで通話を成立させるとともに前記集合玄関機及び前記玄関子機のうち少なくとも前記集合玄関機にて生成される映像信号を出画するために当該住戸の住戸内にそれぞれ設置される居室親機（３ａ、３ｂ、・・・）と、集合玄関ライン（Ｌ1）を経由して接続される前記集合玄関機、住戸ライン（Ｌ2）を経由して接続される前記玄関子機をそれぞれ制御するための制御機（４）とを有する集合住宅インターホン装置であって、
前記居室親機は、前記玄関子機を駆動させる子機電源を生成するための子機電源供給部（３０６）を備え、
前記玄関子機は、前記制御機に接続される前記住戸ラインを引込み、前記住戸ラインを経由して前記制御機から伝送されてくる前記呼出しのための呼出信号、前記音声信号及び前記映像信号等の下り伝送信号を受信して自住戸側に送出する又は当該住戸ラインを経由して他住戸側に送出するとともに、子機／親機ライン（Ｌ3a、Ｌ3b、・・・）を経由して自住戸の前記居室親機から伝送されてくる呼出応答のための応答信号、前記音声信号等の上り伝送信号を前記住戸ラインを経由して前記制御機に送出するための信号分岐送受信部（２０３）と、前記信号分岐送受信部の出力信号の信号レベルを増幅して前記住戸ラインの線路長及び前記信号分岐送受信部の回路内の経由によるレベル減衰分を補完するための下り信号増幅部（２０４）と、前記上り伝送信号の信号レベルを増幅して前記子機／親機ラインの線路長によるレベル減衰分を補完するための上り信号増幅部（２０５）とを備え、
前記玄関子機は、前記信号分岐送受信部及び前記下り信号増幅部の間、前記下り信号増幅部及び前記子機／親機ラインの間にそれぞれ接続され、前記住戸ラインを経由して前記制御機から伝送されてくる前記下り伝送信号を抽出して出力する一方、前記住戸ラインを経由して他住戸の当該玄関子機から伝送されてくる前記上り伝送信号の出力を遮断するための一対の下り伝送用フィルタ（２０６ａ、２０６ｂ）と、前記子機／親機ライン及び前記上り信号増幅部の間、前記上り信号増幅部及び前記信号分岐送受信部の間にそれぞれ接続され、前記子機／親機ラインを経由して前記自住戸の居室親機から伝送されてくる前記上り伝送信号を抽出して出力する一方、前記子機／親機ラインを経由して自住戸の前記居室親機の子機電源供給部から給電される前記子機電源の出力を遮断するための一対の上り伝送用フィルタ（２０７ａ、２０７ｂ）とを備え、
前記一対の下り伝送用フィルタのうち前記信号分岐送受信部側の当該下り伝送用フィル
タは、前記一対の上り伝送用フィルタのうち前記信号分岐送受信部側の当該上り伝送用フ
ィルタからのフィードバック出力を遮断する機能を有し、
前記一対の上り伝送用フィルタのうち前記子機／親機ライン信号側の当該上り伝送用フィルタは、前記一対の下り伝送用フィルタのうち前記子機／親機ライン信号側の当該下り伝送用フィルタからのフィードバック出力を遮断する機能を有することを特徴とする集合住宅インターホン装置。
【請求項２】
前記信号分岐送受信部は、前記住戸ラインと前記一対の上り伝送用フィルタのうち当該信号分岐送受信部側の上り伝送用フィルタ及び前記一対の下り伝送用フィルタのうち当該信号分岐送受信部側の下り伝送用フィルタとの間をそれぞれ結合する方向性結合器（２３０）を有することを特徴とする請求項１記載の集合住宅インターホン装置。
【請求項３】
前記玄関子機の前記下り信号増幅部は、前記子機電源により駆動されるオートゲインコントロールアンプにて構成されることを特徴とする請求項１又は請求項２記載の集合住宅インターホン装置。
【請求項４】
前記玄関子機の前記上り信号増幅部は、前記子機電源により駆動されるオートゲインコントロールアンプにて構成されることを特徴とする請求項１又は請求項２記載の集合住宅インターホン装置。
【発明の詳細な説明】
【技術分野】
【０００１】
本発明は、マンション等の集合住宅に設置される集合住宅インターホン装置に係り、特に、配線の省線化が図られ、当該配線上を送受信される各種信号の信頼度を高めた集合住宅インターホン装置に関する。
【背景技術】
【０００２】
従来から、図５のシステム説明図に示す構成の集合住宅インターホン装置が開示されている。この集合住宅インターホン装置は、集合住宅の集合玄関に設置される集合玄関機５０１と、集合住宅の複数の住戸の住戸玄関にそれぞれ設置される玄関子機５０２ａ、５０２ｂ、・・・と、集合玄関機５０１又は玄関子機５０２ａ、５０２ｂ、・・・からの呼出しに応答して音声信号を送受信することで通話を成立させるとともに集合玄関機５０１及び玄関子機５０２ａ、５０２ｂ、・・・のうち少なくとも集合玄関機５０１にて生成される映像信号を出画するために当該住戸の住戸内にそれぞれ設置される居室親機５０３ａ、５０３ｂ、・・・と、集合玄関ラインＬ501を経由して接続される集合玄関機５０１、住戸ラインＬ502から住戸毎の中継器５０４ａ、５０４ｂ、・・・を経由して接続される居室親機５０３ａ、５０３ｂ、・・・をそれぞれ制御するための制御機５０５とを有している。
【０００３】
また、居室親機５０３ａ、５０３ｂ、・・・にはそれぞれ、（３線にて構成される）子機／親機ラインＬ503a、Ｌ503b、・・・を経由して玄関子機５０２ａ、５０２ｂ、・・・が接続されている（例えば、特許文献１乃至特許文献３を参照。）。
【先行技術文献】
【特許文献】
【０００４】
【特許文献１】特開２０００−１７４９１３号公報
【特許文献２】特開２００７−１１６６３０号公報
【特許文献３】特開２００９−５２８１号公報
【発明の概要】
【発明が解決しようとする課題】
【０００５】
しかしながら、背景技術に記載した図５に示す集合住宅インターホン装置によれば、制御機５０５から中継器５０４ａ、５０４ｂ、・・・を経由して居室親機５０３ａ、５０３ｂ、・・・に引込まれる住戸ラインＬ502と、玄関子機５０２ａ、５０２ｂ、・・・から居室親機５０３ａ、５０３ｂ、・・・に引込まれる子機／親機ラインＬ503a、Ｌ503b、・・・とが別途の配線で設けられているため、これら配線が煩雑となるばかりでなく、既設の集合インターホン装置をリ・プレースしようとする場合には、配線数が不足となるおそれがあり別途の配線が必要であった。
【０００６】
また、図５に示す配線の構成形態によれば、集合玄関機５０１から集合玄関ラインＬ501、制御機５０５、住戸ラインＬ502を経由して伝送されてくる各種信号（下り伝送信号）についての信号増幅機能が玄関子機５０２ａ、５０２ｂ、・・・に何ら備えられていないため、住戸ラインＬ502の線路長によるレベル減衰分を鑑み、その線路長は、例えば、２０〜３０ｍのように制約があった。なお、住戸ラインＬ502の線路長によるレベル減衰分を補完する信号増幅機能を中継器５０４ａ、５０４ｂ、・・・に備えるにあたっては、この機能を実行させるために必要な回路、例えば、電源回路等を当該中継器の機器内に設ける必要があり、中継器５０４ａ、５０４ｂ、・・・の機器自体を大型化せねばならなかった。
【０００７】
本発明は、これらの難点を解消するためになされたもので、制御機に接続される住戸ラインを玄関子機に引き込み、この住戸ラインの線路長によるレベル減衰分及び居室親機に接続される子機／親機ラインの線路長によるレベル減衰分をそれぞれ補完するとともに、玄関子機を経由して送受信される各種信号の信頼度を高めた集合住宅インターホン装置を提供することを目的としている。
【課題を解決するための手段】
【０００８】
前述の目的を達成するため、本発明の第１の態様である集合住宅インターホン装置は、集合住宅の集合玄関に設置される集合玄関機と、集合住宅の複数の住戸の住戸玄関にそれぞれ設置される玄関子機と、集合玄関機又は玄関子機からの呼出しに応答して音声信号を送受信することで通話を成立させるとともに集合玄関機及び玄関子機のうち少なくとも集合玄関機にて生成される映像信号を出画するために当該住戸の住戸内にそれぞれ設置される居室親機と、集合玄関ラインを経由して接続される集合玄関機、住戸ラインを経由して接続される玄関子機をそれぞれ制御するための制御機とを有し、居室親機は、玄関子機を駆動させる子機電源を生成するための子機電源供給部を備え、玄関子機は、制御機に接続される住戸ラインを引込み、住戸ラインを経由して制御機から伝送されてくる呼出しのための呼出信号、音声信号及び映像信号等の下り伝送信号を受信して自住戸側に送出する又は当該住戸ラインを経由して他住戸側に送出するとともに、子機／親機ラインを経由して自住戸の居室親機から伝送されてくる呼出応答のための応答信号、音声信号等の上り伝送信号を住戸ラインを経由して制御機に送出するための信号分岐送受信部と、信号分岐送受信部の出力信号の信号レベルを増幅して住戸ラインの線路長及び信号分岐送受信部の回路内の経由によるレベル減衰分を補完するための下り信号増幅部と、上り伝送信号の信号レベルを増幅して子機／親機ラインの線路長によるレベル減衰分を補完するための上り信号増幅部とを備え、玄関子機は、信号分岐送受信部及び下り信号増幅部の間、下り信号増幅部及び子機／親機ラインの間にそれぞれ接続され、住戸ラインを経由して制御機から伝送されてくる下り伝送信号を抽出して出力する一方、住戸ラインを経由して他住戸の当該玄関子機から伝送されてくる上り伝送信号の出力を遮断するための一対の下り伝送用フィルタと、子機／親機ライン及び上り信号増幅部の間、上り信号増幅部及び信号分岐送受信部の間にそれぞれ接続され、子機／親機ラインを経由して自住戸の居室親機から伝送されてくる上り伝送信号を抽出して出力する一方、子機／親機ラインを経由して自住戸の居室親機の子機電源供給部から給電される子機電源の出力を遮断するための一対の上り伝送用フィルタとを備え、一対の下り伝送用フィルタのうち信号分岐送受信部側の当該下り伝送用フィルタは、一対の上り伝送用フィルタのうち信号分岐送受信部側の当該上り伝送用フィルタからのフィードバック出力を遮断する機能を有し、一対の上り伝送用フィルタのうち子機／親機ライン信号側の当該上り伝送用フィルタは、一対の下り伝送用フィルタのうち子機／親機ライン信号側の当該下り伝送用フィルタからのフィードバック出力を遮断する機能を有している。
【０００９】
本発明の第２の態様である集合住宅インターホン装置は、本発明の第１の態様において、信号分岐送受信部は、住戸ラインと一対の上り伝送用フィルタのうち当該信号分岐送受信部側の上り伝送用フィルタ及び一対の下り伝送用フィルタのうち当該信号分岐送受信部側の下り伝送用フィルタとの間をそれぞれ結合する方向性結合器を有する。
【００１０】
本発明の第３の態様である集合住宅インターホン装置は、本発明の第１の態様又は第２の態様において、玄関子機の下り信号増幅部は、子機電源により駆動されるオートゲインコントロールアンプにて構成される。
【００１１】
本発明の第４の態様である集合住宅インターホン装置は、本発明の第１の態様又は第２の態様において、玄関子機の上り信号増幅部は、子機電源により駆動されるオートゲインコントロールアンプにて構成される。
【発明の効果】
【００１２】
本発明の集合住宅インターホン装置によれば、子機／親機ラインを経由して居室親機との間で通信が可能な玄関子機に、制御機に接続される住戸ラインを引込むにあたって、これら住戸ライン及び子機／親機ラインの線路長によるレベル減衰分を補完するオートゲインコントロールアンプにて構成される信号増幅機能と、この信号増幅機能を経由して送受信される各種信号を的確に抽出するためのフィルタ機能とを備えることにより、住戸ライン及び子機／親機ラインの線路長の制限をなくすことができるばかりでなく、信号増幅機能を経由して送受信される各種信号の信頼度を高めることができる。
【００１３】
また、本発明の集合住宅インターホン装置によれば、制御機に接続される住戸ラインを玄関子機に引込むにあたって、方向性結合器を有する信号分岐送受信部を適用することにより、居室親機からの電源供給が遮断された玄関子機を経由して下流側の当該玄関子機に各種信号を伝送させるにあたって、その信頼度を低下させることなく安定した通信状態を確保することができる。
【図面の簡単な説明】
【００１４】
【図１】本発明の実施例による集合住宅インターホン装置の全体構成を示すシステム説明図。
【図２】本発明の実施例による集合住宅インターホン装置において、玄関子機の具体的な構成を示すブロック図。
【図３】本発明の実施例による集合住宅インターホン装置において、居室親機の具体的な構成を示すブロック図。
【図４】本発明の実施例による集合住宅インターホン装置において適用される下り伝送信号／上り伝送信号の周波数特性例を示す説明図。
【図５】従来例による集合住宅インターホン装置の全体構成を示すシステム説明図。
【発明を実施するための形態】
【００１５】
以下、本発明の集合住宅インターホン装置を適用した実施の形態例について、図面を参照して説明する。
【００１６】
図１は、本発明の実施例による集合住宅インターホン装置の全体構成を示すシステム説明図であって、マンション等の集合住宅に設置されるものである。この集合住宅インターホン装置は、集合住宅の集合玄関に設置される集合玄関機１と、集合住宅の複数の住戸、ここでは、Ａ号室、Ｂ号室、・・・のような複数の住戸の住戸外、例えば、住戸玄関にそれぞれ設置され、後述する居室親機３ａ、３ｂ、・・・を呼出して音声信号を送受信することで通話を成立させるとともに映像信号を生成する玄関子機２ａ、２ｂ、・・・と、前述の各住戸の住戸内にそれぞれ設置され集合玄関機１又は自住戸の玄関子機２ａ、２ｂ、・・・からの呼出しに応答して音声信号を送受信することで通話を成立させるとともに集合玄関機１及び（自住戸の）玄関子機２ａ、２ｂ、・・・のうち少なくとも集合玄関機１にて生成される映像信号を出画する居室親機３ａ、３ｂ、・・・と、集合玄関ラインＬ1を経由して接続される集合玄関機１、住戸ラインＬ2を経由して接続される玄関子機２ａ、２ｂ、・・・をそれぞれ制御するための制御機４とを有している。
【００１７】
同図において、集合玄関機１は、集合玄関ラインＬ1を経由して制御機４に接続されており、（玄関機）操作部１０、（玄関機）映像撮像部１１及び（玄関機）通話部１２が備えられている。ここで、操作部１０は、集合玄関に居る来訪者が特定の住戸内に在室中の居住者を呼出すための操作（呼出操作）を行うものであり、例えば、テンキーボタン１０ａや呼出ボタン１０ｂにて構成されている。また、映像撮像部１１は、操作部１０（１０ａ、１０ｂ）にて所定の呼出操作を行った来訪者の映像（集合玄関の周囲環境下の映像を含む。）を撮像して映像信号を生成するためのものであり、例えば、ＣＣＤ、ＣＭＯＳ等の各種カメラにて構成されている。さらに、通話部１２は、来訪者が呼出先である（特定の）居住者との間で通話を成立させるための音声信号を送受信するものであり、例えば、マイク１２ａ及びスピーカ１２ｂにて構成されている。
【００１８】
玄関子機２ａ、２ｂ、・・・はそれぞれ同様な構成であって、住戸ラインＬ2を経由して制御機４と子機／親機ラインＬ3a、Ｌ3b、・・・を経由して居室親機３ａ、３ｂ、・・
・にそれぞれ接続されており、（子機）操作部２０、（子機）映像撮像部２１及び（子機）通話部２２が備えられている。ここで、操作部２０は、住戸玄関に居る来訪者が自住戸内に在室中の居住者を呼出すための操作を行うものであり、例えば、呼出ボタン２０ａにて構成されている。また、映像撮像部２１は、操作部２０（２０ａ）にて所定の呼出操作を行った来訪者の映像（住戸玄関の周囲環境下の映像を含む。）を撮像して映像信号を生成するためのものであり、例えば、ＣＣＤ、ＣＭＯＳ等の各種カメラにて構成されている。さらに、通話部２２は、来訪者が呼出先である居住者との間で通話を成立させるための音声信号を送受信するものであり、マイク２２ａ及びスピーカ２２ｂにて構成されている。
【００１９】
居室親機３ａ、３ｂ、・・・はそれぞれ同様な構成であって、子機／親機ラインＬ3a、Ｌ3b、・・・を経由して玄関子機２ａ、２ｂ、・・・に接続されており、（親機）表示部３０、（親機）通話部３１及び（親機）操作部３２が備えられている。ここで、表示部３０は、集合玄関機１又は（自住戸の）玄関子機２ａ、２ｂ、・・・を使用した来訪者からの呼出しがあることを表示するとともに、集合玄関機１の映像撮像部１１及び（自住戸の）玄関子機２ａ、２ｂ、・・・の映像撮像部２１にてそれぞれ生成される映像信号のうち少なくとも集合玄関機１の映像撮像部１１にて生成される映像信号を出画するためのものであり、例えば、呼出表示・報知機能を有するＬＥＤ３０ａ及び映像出画機能を有するＬＣＤ、有機ＥＬディスプレイ等のモニタ３０ｂにて構成されている。また、通話部３１は、居住者が呼出元である来訪者との間で通話を成立させるための音声信号を送受信するものであり、例えば、マイク３１ａ及びスピーカ３１ｂにて構成され、このスピーカ３１ｂは、前述の呼出報知機能も有している。さらに、操作部３２は、居住者が来訪者からの呼出しに応答して通話を成立させるための応答操作、成立中の通話を終了させるための終話操作等を行うものであり、例えば、通話応答等の各種の操作ボタン３２ａやこれらの操作機能を有する（モニタ３０ｂの画面上に設けられた）タッチパネル３２ｂにて構成されている。なお、通話部３１としては、ハンドセット（図示せず。）を備えることもできる。
【００２０】
次に、玄関子機２ａ、２ｂ、・・・の具体的な構成について、図２のブロック図を参照して説明する。この玄関子機２ａ、２ｂ、・・・は、前述の操作部２０（２０ａ）、映像撮像部２１及び通話部２２（２２ａ、２２ｂ）を有する子機主機能部２００と、主機能用フィルタ２０１、子機電源部２０２、信号分岐送受信部２０３、下り信号増幅部２０４、上り信号増幅部２０５、一対の下り伝送用フィルタ２０６ａ、２０６ｂ、一対の上り伝送用フィルタ２０７ａ、２０７ｂ及び子機タイミングジェネレータ２０８とを有している。
【００２１】
図２に示す玄関子機２ａ、２ｂ、・・・において、主機能用フィルタ２０１は、子機主機能部２００を構成する操作部２０（２０ａ）の操作により生成される呼出（子機呼出）信号、映像撮像部２１にて生成される映像信号、通話部２２（２２ａ、２２ｂ）にて送受信される音声信号をそれぞれ抽出して出力するためのものであり、例えば、バンドバスフィルタにて構成されている。
【００２２】
子機電源部２０２は、子機／親機ラインＬ3a、Ｌ3b、・・・を経由して居室親機３ａ、３ｂ、・・・の後述する（図３に示す）子機電源供給部３０６から給電される待受用又は動作用の子機電源を受電し、当該玄関子機の構成各部に電源供給するためのものである。
【００２３】
信号分岐送受信部２０３は、制御機４に接続される住戸ラインＬ2を引込み、この住戸ラインＬ2を経由して制御機４から例えば、時分割多重方式で伝送されてくる、呼出し（玄関機呼出し）のための呼出（玄関機呼出）信号、集合玄関機１の通話部１２（１２ａ）より送信される音声（玄関機音声）信号及び集合玄関機１の映像撮像部１１にて生成される映像信号等の下り伝送信号を受信し、自住戸側に送出する又は当該住戸ラインを経由して他住戸である下流側の当該玄関子機に送出するとともに、子機／親機ラインＬ3a、Ｌ3b、・・・を経由して自住戸の居室親機３ａ、３ｂ、・・・から例えば、ＱＰＳＫのデジタル多重方式で伝送されてくる、呼出応答のための応答信号、通話部３１（３１ａ）より送信される音声（親機音声）信号等の上り伝送信号を受信し、住戸ラインＬ2を経由して制御機４に送出するためのものである。この信号分岐送受信部２０３は、住戸ラインＬ2と一対の上り伝送用フィルタ２０７ａ、２０７ｂのうち当該信号分岐送受信部側の上り伝送用フィルタ２０７ａ及び一対の下り伝送用フィルタ２０６ａ、２０６ｂのうち当該信号分岐送受信部側の下り伝送用フィルタ２０６ｂとの間をそれぞれ結合する方向性結合器２３０を有している。
【００２４】
下り信号増幅部２０４は、信号分岐送受信部２０３から出力される下り伝送信号の信号レベルを増幅し、住戸ラインＬ2の線路長及び信号分岐送受信部２０３の回路内の経由によるレベル減衰分を補完するためのものである。この下り信号増幅部２０４は、子機電源部２０２から電源供給される子機電源により駆動され、制御機４から自玄関子機２ａ、２ｂ、・・・までの住戸ラインＬ2の線路長に対応して、当該玄関子機の機器毎にその増幅度が異なる固定レベルの出力信号を生成するオートゲインコントロールアンプにて構成される。
【００２５】
上り信号増幅部２０５は、子機／親機ラインＬ3a、Ｌ3b、・・・を経由して自住戸の居室親機３ａ、３ｂ、・・・から伝送されてくる上り伝送信号の信号レベルを増幅し、子機／親機ラインＬ3a、Ｌ3b、・・・の線路長によるレベル減衰分を補完するためのものである。この上り信号増幅部２０５は、前述の下り信号増幅部２０４と同様、子機電源部２０２から電源供給される子機電源により駆動され、固定レベルの出力信号を生成するオートゲインコントロールアンプにて構成される。
【００２６】
一対の下り伝送用フィルタ２０６ａ、２０６ｂは、信号分岐送受信部２０３及び下り信号増幅部２０４の間、下り信号増幅部２０４及び子機／親機ラインＬ3a、Ｌ3b、・・・の間にそれぞれ接続され、住戸ラインＬ2を経由して制御機４から伝送されてくる下り伝送信号を抽出して出力する一方、住戸ラインＬ2を経由して他住戸である下流側の当該玄関子機から伝送されてくる上り伝送信号の出力を遮断するためのものであり、例えば、高周波通過用のバンドバスフィルタにて構成されている。なお、信号分岐送受信部２０３側の下り伝送用フィルタ２０６ａは、一対の上り伝送用フィルタ２０７ａ、２０７ｂのうち信号分岐送受信部２０３側の上り伝送用フィルタ２０７ｂからのフィードバック出力を遮断する機能を有している。
【００２７】
一対の上り伝送用フィルタ２０７ａ、２０７ｂは、子機／親機ラインＬ3a、Ｌ3b、・・・及び上り信号増幅部２０５の間、上り信号増幅部２０５及び信号分岐送受信部２０３の間にそれぞれ接続され、子機／親機ラインＬ3a、Ｌ3b、・・・を経由して自住戸の居室親機３ａ、３ｂ、・・・から伝送されてくる上り伝送信号を抽出して出力する一方、子機／親機ラインＬ3a、Ｌ3b、・・・を経由して自住戸の居室親機３ａ、３ｂ、・・・の子機電源供給部３０６から給電される子機電源の出力を遮断するためのものであり、例えば、低周波通過用のバンドバスフィルタにて構成されている。なお、子機／親機ライン信号Ｌ3a、Ｌ3b、・・・側の上り伝送用フィルタ２０７ａは、一対の下り伝送用フィルタ２０６ａ、２０６ｂのうち子機／親機ラインＬ3a、Ｌ3b、・・・側の下り伝送用フィルタ２０６ｂからのフィードバック出力や主機能用フィルタ２０１からのフィードバック出力をそれぞれ遮断する機能を有している。
【００２８】
子機タイミングジェネレータ２０８は、玄関子機２ａ、２ｂ、・・・の構成各部にかかる動作タイミング（のクロック）を生成するためのものである。
【００２９】
次に、居室親機３ａ、３ｂ、・・・の具体的な構成について、図３のブロック図を参照して説明する。この居室親機３ａ、３ｂ、・・・は、前述の表示部３０（３０ａ、３０ｂ）、通話部３１（３１ａ、３１ｂ）及び操作部３２（３２ａ、３２ｂ）と、親機映像処理部３００、親機音声処理部３０１、子機呼出検出部３０２、住戸ライン伝送信号処理部３０３、親機信号処理部３０４、親機電源部３０５、子機電源供給部３０６及び親機タイミングジェネレータ３０７とを有している。
【００３０】
この居室親機３ａ、３ｂ、・・・において、親機映像処理部３００は、表示部３０のモニタ３０ｂに出画させる映像信号であり親機信号処理部３０４にて復調される映像信号について、例えば、デジタル／アナログ変換（Ｄ／Ａ変換）やサイズ変換、データ伸張等、所定の信号処理を行うためのものである。
【００３１】
親機音声処理部３０１は、通話部３１（３１ａ、３１ｂ）にて送受信される音声信号であり親機信号処理部３０４にて変復調される音声信号について、例えば、アナログ／デジタル変換（Ａ／Ｄ変換）又はデジタル／アナログ変換（Ｄ／Ａ変換）やデータ圧縮／伸張等、所定の信号処理を行うためのものである。なお、親機音声処理部３０１は、集合玄関機１又は自住戸の玄関子機２ａ、２ｂ、・・・からの呼出しがあることを呼出報知するにあたって親機信号処理部３０４にて生成される呼出音や音声メッセージ等の呼出報知音信号を通話部３１のスピーカ３１ｂから出力させるにあたり、この呼出報知音信号について、例えば、信号増幅等、所定の信号処理を行うこともできる。
【００３２】
子機呼出検出部３０２は、自住戸の玄関子機２ａ、２ｂ、・・・の操作部２０（２０ａ）を使用した来訪者による呼出し（子機呼出し）を検出するためのものである。
【００３３】
住戸ライン伝送信号処理部３０３は、住戸ラインＬ2を経由して制御機４から伝送されてくる下り伝送信号であって、集合玄関機１の操作部１０（１０ａ、１０ｂ）を使用した来訪者による呼出し（玄関機呼出し）がある旨の呼出（玄関機呼出）信号、集合玄関機１の映像撮像部１１（１１ａ）にて生成された映像信号及び集合玄関機１の通話部１２（１２ａ）より送信された音声信号をＡ／Ｄ変換するとともに、親機信号処理部３０４にて生成される上り伝送信号であって、操作部３２（３２ａ、３２ｂ）を使用した居住者による応答（呼出応答）がある旨の応答信号及び通話部３１のマイク３１ａから親機音声処理部３０１、親機信号処理部３０４を経由した音声信号をＤ／Ａ変換するためのものである。
【００３４】
親機信号処理部３０４は、住戸ライン伝送信号処理部３０３にてＡ／Ｄ変換された下り伝送信号を、呼出信号、映像信号及び音声信号にそれぞれ分波して復調させ、復調した呼出信号をもとに所定の呼出報知を行うとともに、同様に復調した映像信号及び音声信号のうち映像信号を親機映像処理部３００に、音声信号を親機音声処理部３０１にそれぞれ出力する機能を有している。また、親機信号処理部３０４は、操作部３２（３２ａ、３２ｂ）の使用による応答がある旨の応答信号、親機音声処理部３０１にてＡ／Ｄ変換された音声信号をそれぞれ変調し、住戸ライン伝送信号処理部３０３に出力する機能を有している。
【００３５】
親機電源部３０５は、図示しない商用電源を整流・平滑して得られる直流電源の電圧レベルを可変させ、親機用の待受電源又は動作電源を生成して当該親機の構成各部に電源供給するためのものである。また、子機電源供給部３０６は、親機電源部３０５にて生成される直流電源をもとに電圧レベルが異なる子機用の待受電源又は動作電源を生成し、子機／親機ラインＬ3a、Ｌ3b、・・・に重畳させて玄関子機２ａ、２ｂ、・・・の子機電源部２０２に電源供給するためのものである。
【００３６】
親機タイミングジェネレータ３０７は、居室親機３ａ、３ｂ、・・・の構成各部にかかる動作タイミング（のクロック）を生成するためのものである。
【００３７】
このように構成された本発明の実施例による集合住宅インターホン装置において、以下、具体的な動作について説明する。なお、本発明の実施例において、住戸玄関に居る来訪者が図１、図２に示す玄関子機２ａ、２ｂ、・・・の操作部２０（２０ａ）を使用して所定の呼出操作を行い、この玄関呼出しを検出した図３に示す居室親機３ａ、３ｂ、・・・の親機信号処理部３０４の制御による所定の呼出報知動作、及び居住者が操作部３２（３２ａ、３２ｂ）を使用して所定の応答操作を行い来訪者との間で通話を成立させる動作はそれぞれ、インターホン通信分野において周知な技術であるため、説明は省略するものとする。
【００３８】
最初に、集合住宅の集合玄関又は自住戸の住戸玄関に居る来訪者からの呼出しがなく通話を成立していない待受状態において、図３に示す居室親機３ａ、３ｂ、・・・の親機電源部３０５は、親機用の待受電源を生成して当該居室親機の構成各部に電源供給している。また、子機電源供給部３０６は、親機電源部３０５からの電源供給をもとに子機用の待受電源を生成し、子機／親機ラインＬ3a、Ｌ3b、・・・に重畳させて図２に示す玄関子機２ａ、２ｂ、・・・の子機電源部２０２に給電することにより、この子機電源部２０２から当該玄関子機の構成各部に待受電源が電源供給されることになる。
【００３９】
前述のような待受状態において、集合住宅の集合玄関に居る来訪者が、複数の住戸のうち、ここでは、Ｂ号室内に在室中の居住者を呼出すにあたり、図１に示す集合玄関機１の操作部１０（１０ａ、１０ｂ）を使用して所定の呼出操作を行うと、図４に示すような下り伝送信号に係る所定の周波数帯域であって、図示しない先頭フレームの「ヘッダ」にＢ号室を指定するための住戸アドレスを構成する親機番号、呼出元である集合玄関機１を示す玄関機番号、及び呼出しがある旨の呼出制御データを含む呼出信号、複数のスロットのうち所定のスロットに映像撮像部１１にて生成された映像信号をそれぞれ挿入させた下り方向の伝送フレームを有する玄関機呼出・映像信号が生成される。この玄関機呼出・映像信号は、例えば、時分割多重方式の変調信号であり、集合玄関機１から集合玄関ラインＬ1、制御機４、住戸ラインＬ2を経由して、図２に示す玄関子機２ａ、２ｂ、・・・の信号分岐送受信部２０３にそれぞれ、マルチキャストで伝送される。
【００４０】
玄関子機２ａ、２ｂ、・・・はそれぞれ、信号分岐送受信部２０３の方向性結合器２３０にて受信された玄関機呼出・映像信号を下り伝送用フィルタ２０６ａを経由して抽出する。また、下り信号増幅部２０４は、下り伝送用フィルタ２０６ａにて抽出された玄関機呼出・映像信号について、制御機４から自玄関子機２ａ、２ｂ、・・・への住戸ラインＬ2の線路長及び信号分岐送受信部２０３の回路内の経由によるレベル減衰分を補完するように、その信号レベルを増幅し、変動がない固定レベルで出力する。さらに、下り伝送用フィルタ２０６ｂは、下り信号増幅部２０４からの出力信号を抽出し、子機／親機ラインＬ3a、Ｌ3b、・・・を経由して図３に示す居室親機３ａ、３ｂ、・・・の住戸ライン伝送信号処理部３０３に送出する。
【００４１】
なお、玄関子機２ａ、２ｂ、・・・において、前述のような玄関機呼出・映像信号の信号処理を行うにあたり、上り伝送用フィルタ２０７ｂは、信号分岐送受信部２０３の方向性結合器２３０にて受信された玄関機呼出・映像信号のフィードバック出力を遮断する機能を有しているため、この信号が上り信号増幅部２０５に伝送されるような誤伝送を発生させることはなく、信号伝送の信頼度が高められる。また、主機能用フィルタ２０１及び上り伝送用フィルタ２０７ａについても、下り伝送用フィルタ２０６ｂからの出力である玄関機呼出・映像信号のフィードバック出力を遮断する機能を有しているため、この信号が子機主機能部２００及び上り信号増幅部２０５にそれぞれ伝送されるような誤伝送を発生させることはなく、信号伝送の信頼度が高められる。
【００４２】
居室親機３ａ、３ｂ、・・・はそれぞれ、子機／親機ラインＬ3a、Ｌ3b、・・・を経由して伝送されてきた玄関機呼出・映像信号を住戸ライン伝送信号処理部３０３にてＡ／Ｄ変換させ、親機信号処理部３０４に送出する。また、親機信号処理部３０４は、住戸ライン伝送信号処理部３０３からの出力信号である玄関機呼出・映像信号を、前述の呼出信号、映像信号にそれぞれ分波して復調する。また、親機信号処理部３０４は、前述のように復調した呼出信号、映像信号のうち、当該呼出信号の住戸アドレスを構成する親機番号と自居室親機３ａ、３ｂ、・・・に予め割当てられている親機番号とを比較し、当該親機番号が一致した場合にのみ、玄関機番号に該当する集合玄関機１を使用した集合玄関に居る来訪者からの呼出しがあることを、表示部３０のＬＥＤ３０ａ及び通話部３１のスピーカ３１ｂをそれぞれ使用して報知（呼出表示、呼出発報）するとともに、親機電源部３０５からの（親機用の）動作電源の供給によりモニタ３０ｂが出画可能状態である場合には、親機映像処理部３００を経由して信号処理された映像信号を出画させることができる。ここでは、Ｂ号室の住戸内に設置された居室親機３ｂの親機信号処理部３０４のみ当該親機番号が一致し、前述のような呼出報知（呼出表示、呼出発報）及び映像出画の動作が行われることになる。
【００４３】
次に、前述のような呼出報知（呼出表示、呼出発報）及び映像信号の出画をもとに、集合玄関に居る来訪者からの呼出しがあり、この来訪者を映像とともに確認することができたＢ号室内に在室中の居住者が、図１、図３に示す居室親機３ｂの操作部３２（３２ａ、３２ｂ）を使用して所定の応答操作を行うと、この操作を検出した親機信号処理部３０４は、親機音声処理部３０１を制御して居住者が使用する通話部３１のマイク３１ａ及びスピーカ３１ｂと当該親機信号処理部との間の信号伝送路、すなわち、通話路を形成するとともに、図４に示すような上り伝送信号に係る所定の周波数帯域であって、所定の応答制御データを含む応答信号が生成される。この応答信号は例えば、ＱＰＳＫのデジタル変調信号であって、住戸ライン伝送信号処理部３０３にてＤ／Ａ変換された後、子機／親機ラインＬ3bを経由して図２に示す玄関子機２ｂに伝送される。
【００４４】
玄関子機３ｂにおいて、上り伝送用フィルタ２０７ａは、子機／親機ラインＬ3bを経由して伝送されてきた応答信号を抽出する。また、上り信号増幅部２０５は、上り伝送用フィルタ２０７ａにて抽出された応答信号について、子機／親機ラインＬ3bの線路長によるレベル減衰分を補完するように、その信号レベルを増幅し、変動がない固定レベルで出力する。さらに、上り伝送用フィルタ２０７ｂは、上り信号増幅部２０５からの出力信号を抽出し、信号分岐送受信部２０３の方向性結合器２３０から住戸ラインＬ2、玄関子機２ａの信号分岐送受信部２０３が有する方向性結合器２３０、住戸ラインＬ2、制御機４、集合玄関ラインＬ1を経由して集合玄関機１に送出する。
【００４５】
なお、玄関子機２ｂにおいて、前述のような応答信号の信号処理を行うにあたり、主機能用フィルタ２０１及び下り伝送用フィルタ２０６ｂは、子機／親機ラインＬ3bを伝送されてきた応答信号のフィードバック出力を遮断する機能を有しているため、この信号が子機主機能部２００及び下り信号増幅部２０４にそれぞれ伝送されるような誤伝送を発生させることはなく、信号伝送の信頼度が高められる。また、下り伝送用フィルタ２０６ｂについても、上り伝送用フィルタ２０７ｂからの出力である応答信号のフィードバック出力を遮断する機能を有しているため、この信号が下り信号増幅部２０４に伝送されるような誤伝送を発生させることはなく、信号伝送の信頼度が高められる。
【００４６】
さらに、玄関子機２ａによれば、前述のような玄関子機２ｂからの応答信号が信号分岐送受信部２０３の方向性結合器２３０にて受信された場合であっても、この応答信号は上り伝送信号であるため、下り伝送用フィルタ２０６ａを経由して下り信号増幅部２０４に伝送させることはなく、自玄関子機２ａの機器内における無用な信号処理動作の発生を防止できる。
【００４７】
次に、図１に示す集合玄関機１は、居室親機３ｂより伝送されてきた応答信号を受信して復調することで、Ｂ号室内に在室中の居住者による応答があったことを検出し、通話部１２のマイク１２ａ及びスピーカ１２ｂの使用による通話機能が能動となるように制御する。
【００４８】
ここで、集合玄関に居る来訪者が、集合玄関機１において通話部１２のマイク１２ａを使用して送話音声を入力すると、図４に示すような下り伝送信号に係る所定の周波数帯域であって、図示しない先頭フレームの「ヘッダ」にＢ号室を指定するための住戸アドレスを構成する親機番号、呼出元である集合玄関機１を示す玄関機番号を含む制御信号、複数のスロットのうち所定のスロットに映像撮像部１１にて生成された映像信号、前述の送話音声である音声信号をそれぞれ挿入させた下り方向の伝送フレームを有する玄関機映像・音声信号が生成される。この玄関機映像・音声信号は、例えば、時分割多重方式の変調信号であり、前述の玄関機呼出・映像信号と同様の伝送路を経由して信号処理がなされた後、図３に示す居室親機３ａ、３ｂ、・・・の住戸ライン伝送信号処理部３０３にて受信される。
【００４９】
居室親機３ａ、３ｂ、・・・において、住戸ライン伝送信号処理部３０３はそれぞれ、受信した玄関機映像・音声信号をＡ／Ｄ変換させ、親機信号処理部３０４に送出する。また、親機信号処理部３０４は、住戸ライン伝送信号処理部３０３からの出力信号である玄関機映像・音声信号を、前述の制御信号、映像信号及び音声信号にそれぞれ分波して復調する。また、親機信号処理部３０４は、前述のように復調した制御信号、映像信号及び音声信号のうち、当該制御信号の住戸アドレスを構成する親機番号と自居室親機３ａ、３ｂ、・・・に予め割当てられている親機番号とを比較し、当該親機番号が一致した場合にのみ、親機映像処理部３００を経由して信号処理された映像信号を表示部３０のモニタ３０ｂに継続して出画させるとともに、親機音声処理部３０１を経由して信号処理された音声信号を通話部３１のスピーカ３１ｂから受話音声として出力させることができる。ここでは、Ｂ号室の住戸内に設置された居室親機３ｂの親機信号処理部３０４のみ当該親機番号が一致し、前述のような映像出画及び音声出力の動作が行われることになる。
【００５０】
一方、Ｂ号室内に在室中の居住者が、居室親機３ｂにおいて通話部３１のマイク３１ａを使用して送話音声を入力すると、親機音声処理部３０１、親機信号処理部３０４を経由して信号処理された図４に示すような上り伝送信号に係る所定の周波数帯域であって、例えば、ＱＰＳＫのデジタル変調信号である音声信号が生成される。この音声信号は、前述の応答信号と同様の伝送路を経由して信号処理がなされた後、図１に示す集合玄関機１にて受信される。
【００５１】
集合玄関機１は、居室親機３ｂより伝送されてきた音声信号を受信して復調することで、Ｂ号室内に在室中の居住者による受話音声を、通話部１２のスピーカ１２ｂから出力させることができ、集合玄関に居る来訪者にとっては、呼出先であるＢ号室内に在室中の居住者との間で通話が成立する。
【００５２】
前述までの説明から明らかなように、本発明の実施例によれば、制御機４に接続される住戸ラインＬ2を引込む信号分岐送受信部２０３を有し、子機／親機ラインＬ3a、Ｌ3b、・・・を経由して居室親機３ａ、３ｂ、・・・との間で通信が可能な玄関子機２ａ、２ｂ、・・・に、これら住戸ラインＬ2及び子機／親機ラインＬ3a、Ｌ3b、・・・の線路長及び信号分岐送受信部２０３の回路内の経由によるレベル減衰分を補完するオードゲインコントロールアンプにて構成される信号増幅機能（下り信号増幅部／上り信号増幅部）２０４、２０５を備えることにより、当該線路長の制限をなくすことができ、また、信号増幅機能２０４、２０５を経由して送受信される各種信号を的確に抽出するフィルタ機能（一対の下り伝送用フィルタ／一対の上り伝送用フィルタ）２０６ａ、２０６ｂ、２０７ａ、２０７ｂを備えることで、信号伝送の信頼度を高めることができる。
【００５３】
また、本発明の実施例によれば、方向性結合器２３０を有する信号分岐送受信部２０３を適用して住戸ラインＬ2を玄関子機２ａ、２ｂ、・・・に引込むことにより、例えば、居室親機３ａの子機電源供給部３０６から子機／親機ラインＬ3aを経由して玄関子機２ａの子機電源部２０２への電源供給が遮断された場合であっても、集合玄関機１から集合玄関ラインＬ1、制御機４、住戸ラインＬ2、玄関子機３ａ、住戸ラインＬ2を経由して玄関子機２ｂに下り伝送信号を伝送させるにあたって、その伝送状態を確保することができ、信号伝送の信頼度を低下させることなく安定した通信が可能となる。
【００５４】
本発明の集合住宅インターホン装置においては、特定の実施の形態をもって説明してきたが、この形態に限定されるものでなく、本発明の効果を奏する限り、これまで知られた如何なる構成の当該装置であっても採用できるということはいうまでもないことである。例えば、本発明の実施例によれば、図１に示す集合玄関機１の操作部１０（１０ａ、１０ｂ）を使用して所定の呼出操作が行われた場合に生成される玄関機呼出・映像信号として、住戸アドレスを構成する親機番号を付加したが、この態様に限定されるものではなく、親機番号に代えて又は親機番号とともに、呼出先の住戸を示す玄関子機２ａ、２ｂ、・・・の子機番号を付加することにより、この子機番号を子機主機能部２００で照合させ、玄関機呼出・映像信号が有効であるか否かを判別し、有効と判別された場合にのみ、子機／親機ラインＬ3a、Ｌ3b、・・・を経由して接続される居室親機３ａ、３ｂ、・・・に玄関機呼出・映像信号を伝送させてもよく、同様な効果が得られる。
【符号の説明】
【００５５】
１……集合玄関機
２ａ、２ｂ、・・・……玄関子機
２０３……信号分岐送受信部
２３０……方向性結合器
２０４……下り信号増幅部
２０５……上り信号増幅部
２０６ａ、２０６ｂ……一対の下り伝送用フィルタ
２０７ａ、２０７ｂ……一対の上り伝送用フィルタ
３ａ、３ｂ、・・・……居室親機
４……制御機
Ｌ2……住戸ライン
Ｌ3a、Ｌ3b、・・・……子機／親機ライン
【図１】
0005865123.tif 000002
【図２】
0005865123.tif 000003
【図３】
0005865123.tif 000004
【図４】
0005865123.tif 000005
【図５】
0005865123.tif 000006